(57)【要約】
【課題】  従来、舞台、映画やテレビの撮影等における雪景色や雪降り状態を演出するため、細かく切った白紙、綿くずや泡状の石灰等を散布している。しかしこれらは製造に手間を要し、使用後にはごみとなり、また、石灰等は付着すると除き難いという問題がある。
【解決手段】  起泡性活性剤水溶液を布製フィルター１０を備えた噴出口４より泡沫状に噴出させ、外部ファン3で吹き上げて雪様泡沫を製造する装置１
【選択図】  図１
0003100610.tif 000002
【実用新案登録請求の範囲】
【請求項１】
起泡性活性剤水溶液を布製フィルターを備えた噴出口より泡沫状に噴出させてなることを特徴とする雪様泡沫の製造装置。
【請求項２】
起泡性活性剤水溶液を布製フィルターを備えた噴出口より泡沫状に噴出させる装置とファンとよりなることを特徴とする雪様泡沫の製造装置。
【考案の詳細な説明】
【技術分野】
【０００１】
本考案は、雪様泡沫の製造装置に関する。更に詳しくは、起泡性を有する活性剤水溶液を布製フィルターを通過させて泡沫状に噴出させて雪様泡沫を製造する装置に関する。
【背景技術】
【０００２】
従来、舞台の演出、映画やテレビドラマの撮影等における雪降りの状態を演出するには種々の小道具や機械が用いられている。例えば舞台では細かく切断した白紙や綿くずを舞台に撒いたり、ファンにより舞い上げたりする。また、撮影等における雪降りには、石灰等を泡状にして降らせたり、人工雪を降雪機により吹き上げて降らせたりしている。
【０００３】
しかしながら、細かく切った白紙や綿くずを散布する方法は、白紙や綿くずの作成に手間が掛かり、大量に用いることは困難であり、また、本当の雪降り景色らしく見せることも極めて困難である。また、降雪後衣装に綿くず等が付着すると後の除去や掃除等に手間を要するという問題がある。
【０００４】
また、石灰等を泡状にして用いる方法は、衣装等を汚したり、付着すると除去し難くなると共に、設備や後の処理等に費用を要するという問題がある。また、降雪機を用いる場合には、設備に高額の投資を必要とし、外部での使用に適しているが、室内での使用には解けた後の水の処理と対策を必要とし不向きである。また、外部や室内の温度によって使用が左右され、高温の季節や場所では使用できない。また、ワンカット程度の短時間の撮影では採算が合わない。
【０００５】
本考案に関する文献の所在を知りません。
【考案の開示】
【考案が解決しようとする課題】
【０００６】
本考案は、上記の問題点を解決するもので、使用後紙片や綿くずのようなゴミの発生がないので、後の掃除や処理の必要がなく、石灰等のように衣装に付着して除去し難くなることもなく、また、雪のように溶解して濡れたりすることもなく、また、後の処理の必要もなく雪模様を演出することのできる雪様泡沫の製造装置を提供することを目的とする。
【課題を解決するための手段】
【０００７】
本考案は、（１）起泡性活性剤水溶液を布製フィルターを備えた噴出口より泡沫状に噴出させてなることを特徴とする雪様泡沫の製造装置、及び（２）起泡性活性剤水溶液を布製フィルターを備えた噴出口より泡沫状にに噴出させる装置とファンとよりなることを特徴とする雪様泡沫の製造装置、を要旨とする。
【考案の効果】
【０００８】
本考案の雪様泡沫の製造装置は、起泡性活性剤水溶液を布製フィルターを備えた噴出口より泡沫状に噴出させてなる装置であり、噴出された泡沫は付着してもすぐ消えてしまうもので、従来の細かく切断した白紙や綿くずを用いたり、石灰を泡沫状にして散布したりする方法に比較して、使用後にゴミ等の発生がなく、また、衣装等を汚したりすることがなく、掃除や後処理等の作業を必要としないという効果が得られる。
【０００９】
また、本考案の雪様泡沫の製造装置は、泡沫噴出装置と外部ファンを用いることにより、泡沫噴出装置のみを用いた場合よりも高く広く雪様泡沫を吹き上げることができるようになり、広く天井の高い結婚披露宴会場やお祝いのパーティー式場等において、花嫁・花婿や主賓等の頭上に雪様泡沫を吹き上げてより効果的に雪降り状態を演出することができ、結婚式やパーティー等を更に盛り上げることができるという効果が得られる。
【００１０】
また、本考案の雪様泡沫の製造装置は、舞台、映画やテレビの撮影等における雪降り場面において、ライトを併用して極めてリアルに実際に近い雪降り状態を再現して高い演出効果を得ることができる。
【考案を実施するための最良の形態】
【００１１】
以下、実施例に基づき本考案を詳細に説明する。
図１は、本考案の雪様泡沫の製造装置１の1例を示す斜視図であり、泡沫噴出装置２と外部ファン３よりなる例を示す。図２は、図1の雪様泡沫の製造装置１を納めた筐体５の側面より見た泡沫噴出装置２と外部ファン３を示す透視図である。
図３は、ケース１３から取出した泡沫噴出装置２を示す斜視図である。
【００１２】
本考案の雪様泡沫の製造装置１は、布製フィルター（以下、「フィルター」という。）１０を備えた噴出口４に送られた起泡性の活性剤水溶液(以下、「起泡液」という。)が、フィルター１０を通過してその表面に泡沫となって噴出する。噴出した泡沫は内蔵するファンによって吹き上げるか、又はそれに更に外部ファン３を併用して吹き上げることによって、上記泡沫が雪様泡沫となって吹き上げられて舞い落ちてくることで、あたかも雪が舞い、降雪している状況を演出できるというものである。
【００１３】
本考案装置1の一つは、泡沫を発生させる泡沫噴出装置2を用いた場合で、該装置2は、噴出口４、内蔵ファン（図示せず。）、起泡液槽７とそれらを連結する配管、配線コード及び泡沫噴出量のコントローラー等よりなっている。これらは図１、２に示すようにケース１３に収納されている。本考案装置1の他の一つは、上記泡沫噴出装置2に外部ファン３を併用した場合であり、図１、２に示すように筐体５に収納されている。
【００１４】
本考案の装置1の使い方は、泡沫噴出装置2の起泡液槽７から送られた起泡液がフィルター１０の表面から泡沫となって吹出してくる。該泡沫は、噴出装置2のケース１３内に内蔵された内蔵ファンから送風孔１４を経て送られてくる風によって、フィルター１０の周囲に吹出して噴出口４より上方向に吹き上げられる。該噴出口4は雪様泡沫の噴出方向を決める働きをしている。雪様泡沫は、噴出装置2の内蔵ファンによって２〜４メートル位の高さまで吹き上げることができるが、それに外部ファン３を併用し作動させると５〜１０メートルの高さまで吹き上げることができる。
【００１５】
上述したように本考案の雪様泡沫の製造装置１は、(Ａ) 泡沫噴出装置2のみから構成される場合と、(Ｂ)該泡沫噴出装置2と外部ファン３とから構成される場合とがあり、(A)、(Ｂ)いずれの場合でも、目的とする雪様泡沫を製造することができるが、上記製造装置１の使い方として、外部ファン３は常に設置しておいて必要な時、例えば雪様泡沫を高く舞い上げたい時などに用い、必要のない時には泡沫噴出装置２のみを作動させて用いるようにする。
【００１６】
泡沫噴出装置２において、起泡液槽７から起泡液が、送液管８とポンプ（図示せず。)を経由して噴出口４に送られ、フィルター１０に沁みこんで湿潤させる。湿潤した起泡液は、ポンプから掛かる圧力によリフィルター１０の布目から泡沫を形成して表面に吹き出してくる。該泡沫は、フィルター１０の下に設けられた内蔵ファンからの風が、送風孔１４を経由して上方向に噴出して雪様泡沫となって吹き上げられる。泡沫は連続的にフィルター１０の表面に吹き出してくるが、該フィルター１０の表面に留まることなく連続して雪様泡沫を吹き上げることができる。泡沫が吹き出している間中、内蔵ファンは作動している。
【００１７】
雪様泡沫の大きさや噴出量は、ポンプによる起泡液の送液量及び内蔵ファンの送風量（送風速度)によって調整することができる。雪様泡沫の大きさは、ボタン雪の大きさから粉雪まで調節することができる。起泡液の送液量を大きくし、送風量を小さくするとボタン雪状の泡沫が噴出するようになり、送液量を小さくし、送風量を大きくすると粉雪状の泡沫が噴出するようになる。
【００１８】
上記内蔵ファンのみの使用で４、５メートルの高さ迄雪様泡沫を吹き上げることができるが、広く天井の高い会場では、外部ファン３を用いて雪様泡沫を吹き上げて希望する位置周辺に舞い落ちるようにすることができる。例えば、天井の高い結婚式場や披露宴会場において、泡沫噴出装置２の脇から外部ファン３を作動させて花嫁・花婿の上方に向って風を送って雪様泡沫を吹き上げ、花嫁・花婿の上に雪様泡沫が降りかかるようにすることができる。また、建物外部において用いることもできる。
【００１９】
外部ファン３には、通常の送風用のファンを用いることもできるが、一定の決められた方向に送風するために送風力が強く、且つ回転羽の周囲を覆って送風方向と送風する角度及び範囲が広がらないようにするのが好ましい。風向の角度は、２０〜４５度にて、風量は、８００〜３０００ＣＦＭの範囲であるのが好ましい。
【００２０】
外部ファン３の位置は、図１、２に示すように、泡沫噴出装置２の脇に設置し、送風面が、泡沫噴出装置２の泡沫噴出面より若干下に来るようにして噴出口４に対し平行又は若干斜め上の方向に風を送るように設けられているのが好ましい。外部ファン３の風力は、内臓ファンの風力より強力で、より高く広い範囲に雪様泡沫を吹き上げることができる。
【００２１】
噴出口4に設けられるフィルター１０は、目の細かい布製よりなり、木綿製、合成繊維製の織布又は合成繊維製不織布等が用いられるが、起泡液が最後まで泡沫となって吹き出し、且つ液の切れがよく、使用後の乾燥も容易な合成繊維製の織布又は不織布が好ましく、合成繊維としてポリエステル系、ポリアミド系等の合成繊維が好ましい。
【００２２】
フィルター１０の形状は、円錐形、四角錐形、三角錐形、半円形等の錐形状が挙げられるが、泡沫を一定方向の範囲で均一に噴出させるには、円錐形が好ましい。フィルター１０は錐形状側が上を向き、開口側が起泡液吹出し口１５に取付けられる。噴出口４の口径は、８０〜１５０ｍｍであり、フィルターの大きさは、円形部の直径が５０〜１００ｍｍ、錐形の高さが８０〜１５０ｍｍであるのが好ましく、直径６０〜８０ｍｍ、錐形の高さが１００〜１３０ｍｍであるのがより好ましい。
【００２３】
起泡液には、起泡性活性剤水溶液が用いられる。該起泡性活性剤としては、長鎖アルコール硫酸エステル塩、ポリオキシエチレンアルキルフェニルエーテル硫酸エステル塩、脂肪酸アミド硫酸エステル塩、オレフィンスルホン酸等のアニオン系活性剤、Ｎ-アルキル-β-アミノのプロピオン酸塩、ベタイン型両性活性剤等の両性活性剤及びポリオキシエチレン系非イオン性活性剤等が挙げられる。上記塩型の活性剤の塩としては、ナトリウム塩、カリウム塩、アンモニウム塩、有機アミン塩等が挙げられる。上記活性剤は、2種以上を混合して用いることができる。更に上記起泡液には上記活性剤にあ短鎖のグリコールエーテルを併用するのが好ましい。また、起泡液の濃度は、グリコールエーテルを含んで５〜２０重量％であるのが好ましく、８〜１７重量％であるのがより好ましい。
【００２４】
起泡液槽７には、内容量４〜５リットルの合成樹脂製タンクが用いられ、起泡液を充填した後、該液槽７中に送液管８が挿入されるが、該送液管８の先端には、ゴミ等を除去する小型濾過器１６が取付けられている。送液用のポンプは、３〜４リットルの起泡液を３０〜６０分間、泡沫を噴出することができる。
【００２５】
筐体５は、雪様泡沫の製造装置１及び外部ファン３を入れたまま移動することができるように底面にはストッパー付きキャスター６が取り付けられているのが好ましい。使用時には、泡沫噴出装置２と外部ファン３の上面のカバー１１を外して雪様泡沫の噴出と吹き上げを行い、使用しない時には、カバー１１を取付けておく。９また、筐体５の背面には、図１、２に示すように背面の全面が開閉できる背面カバー１２が取り付けられているのが好ましい。背面カバー１２の開閉により起泡液の補充や噴出装置２及び外部ファン３の点検保全を行なうことができる。
【産業上の利用可能性】
【００２６】
本考案は、主に結婚披露宴等のお祝いの会等で、スポットライトを当てるように、主賓の頭上に雪様泡沫を降らせて、会の雰囲気を盛り上げる演出用装置として利用できる。
【図面の簡単な説明】
【００２７】
【図１】本考案の雪様泡沫の製造装置の1実施例を示す斜視図である。
【図２】図１の雪様泡沫の製造装置の泡沫噴出装置と外部ファンを納めた筐体の側面より見た透視図である。
【図３】泡沫噴出装置のケースを外して泡沫噴出の内部構造を示す斜視図である。
【符号の説明】
【００２８】
１      雪様泡沫の製造装置
２      泡沫噴出装置
３      外部ファン
４      噴出口
１０    布製フィルター
【図１】
0003100610.tif 000003
【図２】
0003100610.tif 000004
【図３】
0003100610.tif 000005